(57)【要約】【課題】縦型ブラインドのルーバー群ごとに、それぞれ独立してルーバーの開閉角度を調整可能とすることにより、室内への透過光量をきめ細かく調整可能とする。【解決手段】ハンガーレール２に沿ってルーバー１７を移動するための操作コード１８を有し、ハンガーレール２は、その中央に配置された中間仕切り部材３によって左右の領域４、５に仕切られており、左右の領域４、５は、左右の吊持用ランナー群８、１３及び左右のチルト軸１１、１６を備えており、左右の吊持用ランナー群８、１３は、それぞれルーバー１７を吊持しハンガーレール２内を移動可能な複数の吊持用ランナー７から成り、左右のチルト軸１１、１６は、それぞれその回転によって左右の吊持用ランナー群８、１３を構成する複数の吊持用ランナー７に吊持されたルーバー１７の角度を変えることが可能である。【選択図】図１
2008127828.tif 000002
【特許請求の範囲】
【請求項１】
ハンガーレールと、該ハンガーレールに沿ってルーバーを移動するための操作コードを有し、前記ハンガーレールは、その中に１又は２以上の中間仕切り部材が配置されて複数の領域に仕切られ、該複数の領域ごとに、吊持用ランナー群及びチルト軸を備えた縦型ブラインドであって、
前記吊持用ランナー群は、ルーバーを吊持しハンガーレール内を移動可能な複数の吊持用ランナーから成り、
前記チルト軸は、その回転によって前記複数の吊持用ランナーに吊持されたルーバーの角度を変えることが可能であり、
前記操作コードの操作により、ハンガーレール内で、前記複数の領域ごとに設けられた吊持用ランナー群の全てを移動して開閉動作を行うことを特徴とする縦型ブラインド。
【請求項２】
ハンガーレールと、該ハンガーレールに沿ってルーバーを移動するための操作コードを有し、前記ハンガーレールは、その中央に配置された中間仕切り部材によって左右の領域に仕切られており、該左右の領域は、左右の吊持用ランナー群及び左右のチルト軸を備えた縦型ブラインドであって、
前記左右の吊持用ランナー群は、それぞれルーバーを吊持しハンガーレール内を移動可能な複数の吊持用ランナーから成り、
前記左右のチルト軸は、それぞれその回転によって前記左右の吊持用ランナー群を構成する複数の吊持用ランナーに吊持されたルーバーの角度を変えることが可能であり、
前記操作コードの操作により、ハンガーレール内で、前記左右の吊持用ランナー群をともに移動して開閉動作を行うことを特徴とする縦型ブラインド。
【請求項３】
前記領域ごとにギアケース及び操作棒を備えており、
前記ギアケースは、前記操作棒の回転を前記チルト軸に伝達する歯車を備えていることを特徴とする請求項１又は２記載の縦型ブラインド。
【請求項４】
前記中間仕切り部材は、ハンガーレールの長手方向に間隔を有する一対隔壁を備えており、該一対の隔壁にはそれぞれ支持孔が形成されており、該一対の支持孔に円筒状の軸受が装着されており、該一対の軸受に、互いに隣接する前記領域に設けられた互いに隣接する２つのチルト軸が互いに対向するそれぞれの端部を回転可能に支持することを特徴とする請求項１、２又は３記載の縦型ブラインド。
【請求項５】
前記ハンガーレールの両端には、それぞれエンドキャップが装着され、前記操作コードはハンガーレール内の前後をループ状に挿通され、前記ハンガーレールのいずれか一端に装着されたエンドキャップ内に設けられた水平ガイドローラでガイドコードをターンし、他端に装着されたエンドキャップ内に設けられた垂直ガイドローラでガイドコードを該エンドキャップから下方に導出する構成であることを特徴とする請求項１、２、３又は４記載の縦型ブラインド。
【発明の詳細な説明】
【技術分野】
【０００１】
本発明は、縦型ブラインドに関し、特に、左右のルーバー群ごとルーバーの開閉角度の調整をすることができる縦型ブラインドに関する。
【背景技術】
【０００２】
ハンガーレールに移動可能に取り付けられた複数のランナーに複数のルーバー（スラットとも言う。）を吊持し、ハンガーレールに沿って設けられたチルト軸を回転することで、ルーバーの角度を変えて室内への採光量を調節可能とする縦型ブラインドは、すでに知られている（特許文献１、２参照）。
【０００３】
【特許文献１】特開２００６−２４９７８０号公報
【特許文献２】特開２００６−２８３５４４号公報
【発明の開示】
【発明が解決しようとする課題】
【０００４】
従来の縦型ブラインドは、チルト軸は、ハンガーレールに沿ってほぼ同じ長さで延びる１本のスプライン軸のみから構成されているので、この１本のチルト軸を回転操作することで、ハンガーレールに沿って設けられた複数の全てのルーバーを、全て同一方向に、同期して回転させる操作しかできず、複数のルーバーから成るルーバー群を複数群設けて、各ルーバー群ごとに、それぞれ独立してチルト軸を回転させて、ルーバーの開閉角度を調整することができなかった。
【０００５】
本発明は、上記従来の縦型ブラインドの欠点を解決することを目的とするものであり、複数のルーバーから成るルーバー群を複数群設けて、各ルーバー群ごとに、それぞれ独立してルーバーの開閉角度を調整可能とすることにより、縦型ブラインドの横方向の領域（例えば、左右の領域、左右及び中央の領域等）ごとに、室内への透過光量を調整可能とする縦型ブラインドを実現することを課題とする。
【課題を解決するための手段】
【０００６】
本発明は上記課題を解決するために、ハンガーレールと、該ハンガーレールに沿ってルーバーを移動するための操作コードを有し、前記ハンガーレールは、その中に１又は２以上の中間仕切り部材が配置されて複数の領域に仕切られ、該複数の領域ごとに、吊持用ランナー群及びチルト軸を備えた縦型ブラインドであって、前記吊持用ランナー群は、ルーバーを吊持しハンガーレール内を移動可能な複数の吊持用ランナーから成り、前記チルト軸は、その回転によって前記複数の吊持用ランナーに吊持されたルーバーの角度を変えることが可能であり、前記操作コードの操作により、ハンガーレール内で、前記複数の領域ごとに設けられた吊持用ランナー群の全てを移動して開閉動作を行うことを特徴とする縦型ブラインドを提供する。
【０００７】
本発明は上記課題を解決するために、ハンガーレールと、該ハンガーレールに沿ってルーバーを移動するための操作コードを有し、前記ハンガーレールは、その中央に配置された中間仕切り部材によって左右の領域に仕切られており、該左右の領域は、左右の吊持用ランナー群及び左右のチルト軸を備えた縦型ブラインドであって、前記左右の吊持用ランナー群は、それぞれルーバーを吊持しハンガーレール内を移動可能な複数の吊持用ランナーから成り、前記左右のチルト軸は、それぞれその回転によって前記左右の吊持用ランナー群を構成する複数の吊持用ランナーに吊持されたルーバーの角度を変えることが可能であり、前記操作コードの操作により、ハンガーレール内で、前記左右の吊持用ランナー群をともに移動して開閉動作を行うことを特徴とする縦型ブラインドを提供する。
【０００８】
前記領域ごとにギアケース及び操作棒を備えており、前記ギアケースは、前記操作棒の回転を前記チルト軸に伝達する歯車を備えている構成としてもよい。
【０００９】
前記中間仕切り部材は、ハンガーレールの長手方向に間隔を有する一対隔壁を備えており、該一対の隔壁にはそれぞれ支持孔が形成されており、該一対の支持孔に円筒状の軸受が装着されており、該一対の軸受に、互いに隣接する前記領域に設けられた互いに隣接する２つのチルト軸が互いに対向するそれぞれの端部を回転可能に支持する構成としてもよい。
【００１０】
前記ハンガーレールの両端には、それぞれエンドキャップが装着され、前記操作コードはハンガーレール内の前後をループ状に挿通され、前記ハンガーレールのいずれか一端に装着されたエンドキャップ内に設けられた水平ガイドローラでガイドコードをターンし、他端に装着されたエンドキャップ内に設けられた垂直ガイドローラでガイドコードを該エンドキャップから下方に導出する構成である。
【発明の効果】
【００１１】
本発明に係る縦型ブラインドによれば、次のような効果が生じる。
（１）複数のルーバーから成るルーバー群を複数群設け、この複数のルーバー群に対応して複数のチルト軸を設ける構成としたので、ルーバー群ごとに、対応するチルト軸をそれぞれ独立して回転しルーバー群ごとにルーバーの開閉角度を調整でき、ルーバー群ごとに室内への透過光量をきめ細かく調整可能となる。
【００１２】
（２）中間仕切り部材に左右一対の隔壁を設け、この左右一対の隔壁に形成した嵌着孔に、それぞれ底部を備えた円筒軸受を装着し、隣接するチルト軸の対向する端部を嵌合させて回転可能に支持する構成としたので、製造上、チルト軸の長さに多少バラツキがあっても、抜けることなく、円滑に回転するように安定して支持でき、耐久性も向上可能であり、しかも、左右一対の隔壁の寸法を大きくして、吊持用ランナーの移動範囲を狭くすることもない。
【発明を実施するための最良の形態】
【００１３】
本発明に係る縦型ブラインドを実施するための最良の形態を実施例１に基づき図面を参照して、以下説明する。
【００１４】
本発明に係る縦型ブラインドは、複数のルーバーから成るルーバー群を複数群設けて、各ルーバー群ごとに、それぞれ独立してルーバーの角度（正確にはルーバーの水平断面の水平面内での回転方向の角度）を調整可能とすることにより、縦型ブラインドの長手向の領域（例えば、左右の領域、左右及び中央の領域等）ごとに、室内への透過光量を調整可能な構成である。
【００１５】
具体的には、本発明に係る縦型ブラインドでは、ハンガーレール内に１又は２以上の中間仕切り部材を設けることで、ハンガーレールを長手方向に複数の領域に仕切り、それぞれの領域ごとに、ハンガーレール内を移動可能でルーバーを吊持する複数の吊持用ランナーから成る吊持用ランナー群及び独立して回転可能なチルト軸を設け、チルト軸を回転することで、各領域ごとに複数の吊持用ランナーに吊持されたルーバーから成るルーバー群のルーバーの角度調整を可能としている。
【００１６】
そして、ハンガーレールを仕切る中間仕切り部材に左右一対の隔壁を設け、この左右一対の隔壁に形成した嵌着孔に、それぞれ底部を備えた円筒軸受を装着し、隣接するチルト軸の対向する端部を嵌合させて回転可能に支持する構成とする。
【００１７】
次に本発明に係る縦型ブラインドの実施例１を説明するが、以下の実施例１では、ハンガーレール内に１つの中間仕切り部材を設け、この中間仕切り部材３によって、ハンガーレールを中央から左右の２つの領域に仕切り、それぞれに吊持用ランナー群及びチルト軸等を設けた構成を示すが、区画される領域は２つでなくても、３以上あってもよい。
【実施例１】
【００１８】
図１〜８は、本発明に係る縦型ブラインドの実施例１を説明する図である。図１、２において、本発明に係る縦型ブラインド１は、ハンガーレール２内でその長手方向のほぼ中央に、中間仕切り部材３が装着され、ハンガーレール２が左側領域４と右側領域５の２つの領域に仕切られている。なお、本実施例１の説明の都合上、ハンガーレール２の長手方向を左右方向とし、この左右方向に水平面内で垂直の方向（図１の紙面に垂直方向）を前後方向（図１の紙面に対して手前が前側、奥が後側）とする。
【００１９】
左側領域４においては、ハンガーレール２の左端に装着される左端エンドキャップ６と、ハンガーレール２内を移動可能な複数の吊持用ランナー７から成る左側吊持用ランナー群８と、左端エンドキャップ６の近くでハンガーレール２内に装着される左側ギアケース９と、左側ギアケース９に取り付けられた左側操作棒１０と、左側チルト軸１１が設けられている。
【００２０】
右側領域５においては、ハンガーレール２の右端に装着される右端エンドキャップ１２と、ハンガーレール２を移動可能な複数の吊持用ランナー７から成る右側吊持用ランナー群１３と、右端エンドキャップ１２の近くでハンガーレール２内に装着される右側ギアケース１４と、右側ギアケース１４に取り付けられた右側操作棒１５と、右側チルト軸１６が設けられている。
【００２１】
左右の吊持用ランナー群８、１３を構成する複数の吊持用ランナー７は、ハンガーレール２に沿って移動可能であり、それぞれルーバー１７を吊持し、しかもルーバー１７の角度（正確にはルーバーの水平断面の水平面内での回転方向の角度）を調整できるように構成されている。さらに、本発明に係る縦型ブラインド１は、複数の吊持用ランナー７を左右方向に移動操作するためのエンドレス状の操作コード１８（全体としてループ状に形成された操作コード）を備えている。
【００２２】
ハンガーレール２は、その断面を図３にハッチングした部分として示す。ハンガーレール２の前後内面には、凹溝状の軌道１９及びコード案内部２０が形成されている。軌道１９には、中間仕切り部材３の凸部２１が嵌合している。吊持用ランナー７は、軌道１９により、ハンガーレール２内で左右方向に移動可能である。左右のギアケース９、１４も、ハンガーレール２内に左右方向に移動可能に装着され、左右のエンドキャップ６、１２との間隔を変化させることができる。また、左右のギアケース９、１４に隣接する吊持用ランナー７は、左右のギアケース９、１４に固定されている。
【００２３】
ハンガーレール２の前後に形成されているコード案内部２０には、操作コード１８が挿通され、ハンガーレール２の前後を全体としてループ状に案内される。
【００２４】
左側チルト軸１１はスプライン軸（図３、図４（ｂ）参照）から成り、その両端が左端エンドキャップ６と中間仕切り部材３によって回転可能に支持され、吊持用ランナー７及び左側ギアケース９を貫通するように構成されている。右側チルト軸１６も同様にスプライン軸から成り、その両端が右端エンドキャップ１２と中間仕切り部材３によって回転可能に支持され、吊持用ランナー７及び右側ギアケース１４を貫通するように構成されている。
【００２５】
なお、ハンガーレール２の左右の領域４、５内の複数の吊持用ランナー７、左右のギアケース９、１４、左右端のエンドキャップ６、１２、左右チルト軸１１、１６等からなる構成は、対称的に配置されているが、互いにほぼ同じ構成である。
【００２６】
左右のギアケース９、１４は、同じ構造をしており、図４（ａ）〜（ｄ）に示すように、全体的にはほぼ矩形状であり、回転可能な操作回転軸２２が下方に突出し、この操作回転軸２２にウォームギア２３が取り付けられている。このウォームギア２３にチルト軸１１、１６のスプライン溝２４と嵌合するウォームギア２３’が噛み合っている。従って、操作回転軸２２の下端に取り付けられた操作棒１０、１５を回転することにより、チルト軸１１、１６を回転することができる。                 
【００２７】
吊持用ランナー７は、図５（ａ）〜（ｃ）に示すように、回転可能な出力回転軸２５が下方に突出しており、この出力回転軸２５にウォームギア２６が取り付けられている。このウォームギア２６はチルト軸１１、１６のスプライン溝２４に嵌合しているウォームギア２６’と噛み合っている。従って、操作棒１０、１５をその軸心回りに回転し、ギアケース９、１４のウォームギア２３、２３’を介してチルト軸１１、１６を回転すると、出力回転軸２５が回転し、その下端に取り付けられているルーバー１７が出力回転軸２５の軸心を中心に回転する。
【００２８】
ハンガーレール２の左右の領域４、５に設けられた複数の吊持用ランナー７は、互いに隣接するものについては、チルト軸１１、１６に移動可能に嵌合されたスペーサ２７によって、適宜間隔をもって配列されている。そして、複数の吊持用ランナー７には、それぞれ図６（ａ）〜（ｄ）に示すようなスペーサーリンク２８が、その先端はハンガーレール２の中央方向（中間仕切り部材３の方向）に向け、その基端が固定されている。
【００２９】
スペーサーリンク２８は樹脂等の材料で形成された長細い薄片から構成されており、スペーサーリンク２８の先端には上向きに湾曲したフック２９が形成されており、その基端には、隣接する吊持用ランナー７に固定されたスペーサーリンク２８のフック２９と一方向で係合する係止爪３０が形成されている。
【００３０】
中間仕切り部材３に最も近い先頭の吊持用ランナー７（７−１）には、次に近い次位の吊持用ランナー７（７−２）に固定されたスペーサーリンク２８（２８−１）が係脱可能に連結され、その上に、さらにその次に近い吊持用ランナー７（図示省略）に固定されたスペーサーリンク２８（２８−２）が重なるように順次配置される。なお、中間仕切り部材３に最も近い先頭の吊持用ランナー７（７−１）には、スペーサーリンク２８は固定されていないが、次位の吊持用ランナー７（７−２）に固定されたスペーサーリンク２８（２８−１）のフック２９と一方向で係合する係止爪３０と同じ形状の係止爪が別体又は一体で設けられている。
【００３１】
先頭の吊持用ランナー７（７−１）が中間仕切り部材３に向かって移動する際（ブラインドを閉じる際）に、次位の吊持用ランナー７（７−２）は、次位の吊持用ランナー７（７−２）に固定されたスペーサーリンク２８（２８−１）のフック２９が、先頭の吊持用ランナー７（７−１）の係止爪に係合することにより、中間仕切り部材３に向かって移動する。さらに次位の吊持用ランナー７（図示省略）が吊持用ランナー７（７−２）と共に移動するように構成され、順次移動する構成とされている。
【００３２】
右端エンドキャップ１２は、図７（ａ）に示すように、ハンガーレール２へ嵌着する嵌着部３１と、嵌着部３１に外側から装着されるカバー３２とから成る。嵌着部３１の下部の前後両側にそれぞれ一対の垂直ガイドローラ３３が垂直面内を回転可能となるように水平軸３４で枢着されている。また、嵌着部３１の内側には、図示しないが、右側のチルト軸１６の右端を回転可能に支持する軸受孔（図示省略）が形成されている。    
【００３３】
左端エンドキャップ６は、右端エンドキャップ１２とほぼ同じ構成であるが、図７（ｂ）に示すように、嵌着部３１の下部の前後両側にそれぞれ水平ガイドローラ３５が水平面内を回転可能となるように垂直軸３６で枢着されている。また、嵌着部３１の内側には、左側チルト軸１１の左端を回転可能に支持する軸受孔（図示省略）が形成されている。
【００３４】
エンドレス状の操作コード１８は、図１及び図２に示すように、ハンガーレール２内では前後内面のコード案内部２０内を通して案内され、ハンガーレール２の左端では左端エンドキャップ６内で前後一対の水平ガイドローラ３５で案内され、ハンガーレール２の右端では右端エンドキャップ１２内で前後一対の垂直ガイドローラ３３で案内されるように配置される。そして、操作コード１８は右端エンドキャップ１２から下方に延ばされ、端部は重錘３７に設けられたプーリ３８に掛けられている。
【００３５】
エンドレス状の操作コード１８は、ハンガーレール２内では前後内面のコード案内部２０内を通して案内されるが、ハンガーレール２の右側領域５において、操作コード１８の前側の一部が、右側の吊持用ランナー群１３の中の先頭の吊持用ランナー７（７−１）（中間仕切り部材３に最も近い吊持用ランナー）に固定されている。また、ハンガーレール２の左側領域４において、操作コード１８の後側の一部が左側吊持用ランナー群８の中の先頭の吊持用ランナー７（７−１）に固定されている。
【００３６】
本発明の縦型ブラインド１の構成は以上のとおりであるが、本発明の縦型ブラインド１は、その細部構造において、従来の縦型ブラインド１に較べて、きわめて特異な構造を採用し、顕著な効果を奏するものである。以下、この構成について説明する。
【００３７】
従来の縦型ブラインド（特許文献１等参照）は、１本のチルト軸でハンガーレールに設けられた全てのルーバーを回転する構成であるから、全てのルーバーを同一方向に同期して角度を変える操作しかできなかった。即ち、ハンガーレールに設けられた左右の吊持用ランナー群ごとに、操作棒で独立的に操作してその回転角度を変え、左右のルーバー群ごとに角度を調整するようなことはできず、そのような技術思想はなかった。
【００３８】
本発明の縦型ブラインド１は、ハンガーレール２を中間仕切り部材３で左右の領域４，５に区分し、左右の領域４，５のそれぞれに対応して左右のチルト軸１１、１６を設け、左右のチルト軸１１、１６を、それぞれ独立して操作棒１０、１５で操作することで、左右の吊持用ランナー群８、１３及び左右のルーバー群ごとに、それぞれ独立して同一又は異なる方向に回転し角度を調整可能とする構成とした。
【００３９】
図８（ａ）、（ｂ）は、中間仕切り部材３の構成を示す図である。この中間仕切り部材３の後部には、左右一対の隔壁３９、３９を有する。この左右の隔壁３９、３９は、互いに間隔ｗをだけ離されて形成されている。この左右の隔壁３９、３９にそれぞれ支持孔４０、４０が貫通して形成されている。
【００４０】
この左右の隔壁３９、３９の支持孔４０、４０に、左右の円筒軸受４１、４１が嵌着されている。円筒軸受４１は、プラスチックで形成され筒部４２と底部４３とから成り、その円筒表面は、底部側の端部４４を除きスプライン表面４５が形成され、底部側の端部４４の表面にはテーパ面を有する凸部４６が形成されている。
【００４１】
左右の隔壁３９、３９の支持孔４０、４０に、左右の円筒軸受４１、４１をそれぞれ底部４３から押入することで、テーパ状の凸部４６を弾性変形させて、この凸部４６とスプライン表面４５との間に、支持孔４０、４０の内周縁を嵌合させて取り付けることができる。
【００４２】
左側チルト軸１１は、その左端は左端エンドキャップ６の軸受孔に嵌合されて支持され、その右端は円筒軸受４１で回転可能支持される。同様に、右側のチルト軸１６は、その右端は右端エンドキャップ１２の軸受孔に嵌合されて支持され、その左端は円筒軸受４１に回転可能に支持される。
【００４３】
本発明は以上のとおり、左右のチルト軸１１、１６がそれぞれ独立して回転可能に支持され、しかも、それぞれ左右の操作棒１０、１５の操作によって同一方向又は異なる方向に独立的に回転可能な構成であるから、左右のルーバー群を互いに独立的に回転させ角度調整させることができ、左右の領域４、５ごとに室内への透過光量の調整が可能である。
【００４４】
そして、左右のチルト軸１１、１６は、それぞれ左右のエンドキャップ６、１２と中間仕切り部材３の間に支持されているが、特に、左右のチルト軸１１、１６の内端（中間仕切り部材３側の端部）が、それぞれ中間仕切り部材３の隔壁３９、３９の支持孔４０、４０に直接支持されているのではなく、支持孔４０、４０に装着された円筒軸受４１、４１によって支持されているので、次のような顕著な効果が生じる。
【００４５】
即ち、チルト軸１１、１６の内端が隔壁３９、３９の支持孔４０、４０のみで支持される構成では、隔壁３９、３９の厚みのみで支持されることとなり、チルト軸１１、１６に軸方向の力が作用し軸方向に若干動くこともあるので、チルト軸１１、１６が抜けるようなことも生じる。特に、チルト軸１１、１６の長さは、製造の際生じる多少のバラツキがあることを考慮すれば、上記チルト軸１１、１６が抜け等は生じやすい。
【００４６】
これを解決するために、左右の隔壁３９、３９間の巾ｗを大きくして、確実に隔壁３９の支持孔４０、４０のみでチルト軸１１、１６の内側端を確実に支持する構成も考えられるが、そのようにすると隔壁３９、３９間の巾ｗが大きく取られるから、複数の吊持用ランナー７の移動範囲が狭まってしまい、しかも中央部において、左右のルーバー群の間の先頭のルーバーが互いに重なる巾が少なくなるので、隙間が生じかねない。
【００４７】
また、隔壁３９の厚みのみで支持される構成では、チルト軸１１、１６にかかる剪断力（チルト軸による隔壁に対する荷重の反力）は、隔壁３９、３９の厚みに対応する部分に集中し、チルト軸１１、１６及び隔壁３９、３９の耐久性、寿命の観点からも好ましくない。さらに、隔壁３９、３９の厚みのみで支持される構成では、回転するチルト軸１１、１６の軸受としても滑らかに安定して支持するためにも、好ましくはない。
【００４８】
本発明では、チルト軸１１、１６の内端は、支持孔４０、４０に装着された円筒軸受４１、４１によって支持される構成としたので、チルト軸１１、１６の長さは多少のバラツキがあっても、抜けるようなことがなく確実に回転可能に支持することができる。また、隔壁３９、３９間の巾ｗを小さくすることが可能であるので、複数の吊持用ランナー７の移動範囲が狭まらないし、中央部において左右のルーバー間に隙間が生じるようなこともない。
【００４９】
また、チルト軸１１、１６の内端を、円筒軸受４１の内面全体で面接触して受ける構成であるから、チルト軸１１、１６の荷重は円筒軸受４１の内面全体で受けることができ、その反力はチルト軸１１、１６が支持される面全体にかかるので、チルト軸１１、１６に剪断力が集中するようなことはない。よって、チルト軸１１、１６及び隔壁３９、３９の耐久性及び寿命性の向上という顕著な効果が生じる。
【００５０】
（作用）
以上の構成から成る本発明に係る縦型ブラインド１の作用について、以下説明する。操作コード１８は、重錘３７によって、図１に示すように下方に垂れ下げられている。縦型ブラインド１全体を左右に開く場合には、垂れ下げられている操作コード１８の前側の部分を下方に引っ張る。すると、左右の吊持用ランナーの複数の吊持用ランナー７は、それぞれ左右のエンドキャップ６、１２に向けて移動し、ブラインド全体が左右に開く。
【００５１】
即ち、ハンガーレール２の右側領域５における先頭の吊持用ランナー７（７−１）（最も中央寄りの吊持用ランナー）は操作コード１８の前側部分に固定されているから、操作コード１８とともに右側に移動し順次隣接する次位の吊持用ランナー７（７−２）に当接（スペサーのある場合はスペーサを介して当接）して、右側吊持用ランナー群１３をハンガーレール２の右端に向けて移動させ、複数のルーバー１７を重ね合わせて寄せることができる。
【００５２】
同時に、ハンガーレール２の左側領域４における先頭の吊持用ランナー７（７−１）は操作コード１８の後側部分に固定されているから、操作コード１８とともに左側に移動し順次隣接する次位の吊持用ランナー７（７−２）に当接（スペサーのある場合はスペーサを介して当接）して、左側吊持用ランナー群８をハンガーレール２の左端に向けて移動させ、複数のルーバー１７を重ね合わせて寄せることができる。
【００５３】
このようにしてブラインド全体を左右に開いた状態において、次に、重錘３７で垂れ下げられている操作コード１８の後側の部分を下方に引っ張る。すると、左右の吊持用ランナー群８、１３は、それぞれ中間仕切り部材３に向けて移動し、ブラインド全体を閉じるように動作する。                          
【００５４】
即ち、この場合は、右側領域５では、先頭の吊持用ランナー７（７−１）は、中間仕切り部材３の方向、即ち中央方向に向けて左方に移動し、一定距離移動すると、次位の吊持用ランナー７（７−２）に固定されたスペーサーリンク２８（２８−１）のフック２９が、先頭の吊持用ランナー７（７−１）の係止爪に係合して次位の吊持用ランナー７（７−２）を左方に移動し、順次、次々複数の吊持用ランナー７を中央側に向けて移動する。
【００５５】
同様に、左側領域４では、先頭の吊持用ランナー７（７−１）は、中間仕切り部材３の方向、即ち中央方向に向けて右方に移動し、一定距離移動すると、次位の吊持用ランナー７（７−２）に固定されたスペーサーリンク２８（２８−１）のフック２９が、先頭の吊持用ランナー７（７−１）の係止爪に係合して次位の吊持用ランナー７（７−２）を右方に移動し、順次、次々複数の吊持用ランナー７を中央側に向けて移動する。
【００５６】
ハンガーレール２の左側領域４及び右側領域５にそれぞれ配置されたルーバー１７を回転して角度を調整する動作は、次のように行われる。例えば、右側領域５については、右側の操作棒１５をその軸心を中心に回転すると、操作回転軸２２及びウォームギア２３、２３’を介して右側のチルト軸１６が回転し、さらに吊持用ランナー７のウォームギア２６、２６’及び出力回転軸２５を回転し、出力回転軸２５に吊り下げられた右側領域５に配置された複数のルーバー１７が、出力回転軸２５の軸心を中心に同期して回転し、角度調整できる。
【００５７】
このようにして、右側のルーバー群の全てのルーバー１７の向きを変えることができ、隣接するルーバー１７、１７間の隙間の開閉し、室内への透過光量を調整できる。左側のルーバー群についても、同様に、左側操作棒１０をその軸心を中心に回転することによって、角度調整が可能である。
【００５８】
以上のとおり、この実施例１に示す本発明に係る縦型ブラインド１では、左右のチルト軸１１、１６を設け、それぞれ左右の操作棒１０、１５で独立して操作可能な構成としたので、左右のルーバー群ごとにルーバー１７を回転させ開閉角度を調整できる。従って、縦型ブラインド１の左側及び右側のそれぞれについて、室内への採光量を独立して適宜調整することができる。
【実施例２】
【００５９】
図９は、本発明に係る縦型ブラインドの実施例２を説明する図である。上記実施例１では、ハンガーレール２内に１つの中間仕切り部材３を設け、ハンガーレール２を中央から左右の２つの領域４，５に仕切り、それぞれに吊持用ランナー群８、１３、ルーバー群及びチルト軸１１、１６を設けた構成を示したが、区画する領域は２つでなくても３以上設けた構成としてもよい。
【００６０】
図９は、本発明の実施例２を示す図であり、実施例１と共通する部分は同じ符号を付し説明を省略する。この実施例２の縦型ブラインド４７は、ハンガーレール２内に中間仕切り部材３を２つ設け、左端エンドキャップ６と左側中間仕切り部材３との左側領域４、２つの中間仕切り部材３、３で挟まれた中央領域４８、右端エンドキャップ１２と右側中間仕切り部材３との右側領域５という、３つ領域から成り、それぞれの領域にチルト軸１１、４９、１６を設ける構成としたものである。
【００６１】
この実施例２では、中央領域４８の中央チルト軸４９を回転させるための中央ギアケース５０及び中央操作棒５１が必要となる。中央ギアケース５０は、２つの中間仕切り部材３、３の間であって、いずれかの中間仕切り部材３に近接して設けた構成とすればよい。
【００６２】
以上、本発明に係る縦型ブラインドを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６３】
以上の構成から成る本発明に係る縦型ブラインドは、一般住宅、事務所、工場、その他の建築物の窓等に適用可能である。
【図面の簡単な説明】
【００６４】
【図１】本発明の実施例１を説明する正面図である。
【図２】図１のＡ−Ａ断面図である。
【図３】図２のＡ−Ａ断面図である。
【図４】本発明の実施例１のギアケースの平面図（ａ）、正面図（ｂ）、側面図（ｃ）及び断面図（ｄ）である。
【図５】本発明の実施例１の吊持用ランナーの平面図（ａ）、正面図（ｂ）及び側面図（ｃ）である。
【図６】本発明の実施例１のスペーサリンクの平面図（ａ）、正面図（ｂ）及び部分拡大図（ｃ）、（ｄ）である。
【図７】本発明の実施例１の右端エンドキャップ（ａ）及び右端エンドキャップ（ｂ）の斜視図である。
【図８】本発明の実施例１の中間仕切り部材の斜視図（ａ）及び断面図（ｂ）である。
【図９】本発明の実施例２を説明する正面図である。
【符号の説明】
【００６５】
１、４７  縦型ブラインド                           
２  ハンガーレール                           
３  中間仕切り部材                       
４  左側領域                     
５  右側領域                     
６  左端エンドキャップ                       
７  吊持用ランナー                           
８  左側吊持用ランナー群                     
９  左側ギアケース                           
１０  左側操作棒                             
１１  左側チルト軸                           
１２  右端エンドキャップ                 
１３  右側吊持用ランナー群               
１４  右側ギアケース                     
１５  右側操作棒                         
１６  右側チルト軸                       
１７  ルーバー                               
１８  操作コード                             
１９  ハンガーレールの凹溝状の軌道           
２０  コード案内部                           
２１  中間仕切り部材の凸部             
２２  操作回転軸                             
２３、２３’  ギアケース内のウォームギア               
２４  スプライン溝                           
２５  出力回転軸                             
２６、２６’  中間仕切り部材内のウォームギア                           
２７  スペーサ                               
２８  スペーサーリンク                       
２９  スペーサーリンクフック                 
３０  スペーサーリンク係止爪                 
３１  エンドキャップの嵌着部                 
３２  エンドキャップのカバ ー                                 
３３  垂直ガイドローラ                       
３４  水平軸                                 
３５  水平ガイドローラ                       
３６  垂直軸                                 
３７  重錘                                   
３８  プーリ                                 
３９  左右一対の隔壁                         
４０  左右一対の隔壁の支持孔                                 
４１  円筒軸受                               
４２  円筒軸受の筒部                                   
４３  円筒軸受の底部                                   
４４  円筒軸受の底部側の端部                           
４５  円筒軸受のスプライン表面                         
４６  円筒軸受の凸部                                   
４８  中央領域                               
４９  中央チルト軸                               
５０  中央ギアケース                         
５１  中央操作棒                             
【図１】
2008127828.tif 000003
【図２】
2008127828.tif 000004
【図３】
2008127828.tif 000005
【図４】
2008127828.tif 000006
【図５】
2008127828.tif 000007
【図６】
2008127828.tif 000008
【図７】
2008127828.tif 000009
【図８】
2008127828.tif 000010
【図９】
2008127828.tif 000011